(57)【要約】【課題】フォーカスとコンバージェンスの微調整を良好な操作性にて行うことのできる二眼レンズ式の立体撮像装置を提供する。【解決手段】この立体撮像装置は、ズーム、フォーカス、及びコンバージェンスの調整を、互いに同軸的に組み合わされ、かつ互いに独立して回動操作することの可能な３つのリングで構成される調整リングを備えるものである。ズーム、フォーカス、及びコンバージェンスの調整のうち、特にフォーカスとコンバージェンスの２つの調整は、一方を調整により動かせば他方の調整にも影響してしまうことから、交互に繰り返し行われることが多い。本実施形態の立体撮像装置では、調整リングに同軸的に回動操作可能なように設けられたフォーカス調整用のリングとコンバージェンス調整用のリングを操作して行えるので、調整の効率の向上を期待できる。【選択図】図７
2012080515.tif 000002
【特許請求の範囲】
【請求項１】
左右一対の撮像レンズを含む光学系と、
前記光学系のフォーカス調整のための回動の操作が可能なフォーカスリングと、
前記フォーカスリングに対して同軸的にかつ独立して回動自在に組み合わせて設けられ、前記光学系のコンバージェンス調整のための回動の操作が可能なコンバージェンスリングと
を具備する立体撮像装置。
【請求項２】
請求項１に記載の立体撮像装置であって、
前記フォーカスリング及び前記コンバージェンスリングに対して同軸的にかつ独立して回動自在に組み合わせて設けられ、前記光学系のズーム調整のための回動の操作が可能なズームリングをさらに具備する
立体撮像装置。
【請求項３】
請求項２に記載の立体撮像装置であって、
前記フォーカスリング、前記コンバージェンスリング、及びズームリングの外径が異なり、それぞれのリングは互いに入れ子構造で組み合わされる
立体撮像装置。
【請求項４】
請求項３に記載の立体撮像装置であって、
前記フォーカスリングと前記コンバージェンスリングが入れ子構造において互いに隣接する
立体撮像装置。
【請求項５】
請求項２に記載の立体撮像装置であって、
前記フォーカスリング、前記コンバージェンスリングおよび前記ズームリングが、互いに同軸的にかつ独立して回動自在に組み合わせられた３つのリングに対して前記光学系のフォーカス調整、コンバージェンス調整およびズーム調整の３つの調整項目を割り当てることによって設定され、
前記３つのリングに対する前記３つの調整項目を選択的に割り当てるためのユーザからのリング設定情報の入力を受け付けるリング設定用入力部と、
前記リング設定用入力部にて入力されたリング設定情報をもとに前記３つのリングに前記３つの調整項目を割り当てる制御部と
をさらに具備する立体撮像装置。
【請求項６】
請求項５に記載の立体撮像装置であって、
前記リング設定情報は、前記リング毎に回動方向と調整値の増減との関係を割り当てるための情報を含み、
前記制御部は、前記リング毎の回動方向と調整値の増減との関係を割り当てる
立体撮像装置。
【発明の詳細な説明】
【技術分野】
【０００１】
本技術は、二眼レンズ式の立体撮像装置に関する。
【背景技術】
【０００２】
従来より、立体（３Ｄ、three-dimension）映像を撮像する撮像システムは、既存の撮像装置を２台組み合わせて構築されている。例えば、両眼視差を再現するために２台の撮像装置をハーフミラーと組み合わせてフレーム（リグ）に取り付け、撮像を行う等の方法がとられている。また、今日では、１台の撮像装置として立体映像を撮像可能なものも知られている（例えば、非特許文献１参照。）。非特許文献１によれば、１台の撮像装置に左右２つのレンズが設けられ、これら２つのレンズを用いて立体映像が撮像される。
【０００３】
ところで、撮像装置で平面（２Ｄ、two-dimension）映像を撮像するには、フォーカス・ズーム・アイリスの調整が必要である。立体映像の撮像の場合、これらに加えてコンバージェンスを調整する必要がある。ここで、コンバージェンスとは、立体映像の立体感（奥行きや飛び出し）の調整に係り、２つのレンズの光軸が交差する点としてのコンバージェンスポイント（輻輳点）と被写体との位置関係により表現される。例えば、レンズに対してコンバージェンスポイントより後ろにある被写体は奥まって位置し、レンズに対してコンバージェンスポイントより手前にある被写体は飛び出して位置しているかのように、立体映像が表示される。コンバージェンスポイントの距離の調整は、左右２つのレンズ夫々の光軸に対する傾きを変えて輻輳角を調整することによって行われている。
【先行技術文献】
【非特許文献】
【０００４】
【非特許文献１】写真工業出版社「月間ビデオα２０１０年７月号」４５〜５０頁
【発明の概要】
【発明が解決しようとする課題】
【０００５】
例えば、撮像中にフォーカス調整のために２つのレンズ夫々の光軸に沿った方向での位置を変更すると、レンズの移動に伴ってコンバージェンスポイントが手前方向又は奥行き方向に移動する。移動したコンバージェンスポイントをフォーカス変更前の位置に戻すためには、レンズの光軸に対する傾きを変えることにより対応する必要がある。また、逆にコンバージェンスポイントを移動させると、それに合わせてフォーカス調整を行う必要がある。このように、所望の立体映像を撮像するためには、フォーカスとコンバージェンスの相互の微調整が必要であり、場合によってフォーカス調整とコンバージェンス調整とを交互に何度も繰り返し行うことも多い。
【０００６】
しかしながら、非特許文献１の撮像装置では、コンバージェンスを調整するためダイヤルがフォーカスを調整するための機構から離間した位置に設けられており、フォーカスとコンバージェンスの相互の微調整を繰り返し行うにあたりユーザ操作が煩雑になるおそれがある。
【０００７】
以上のような事情に鑑み、本技術の目的は、フォーカスとコンバージェンスの微調整を良好な操作性にて行うことのできる二眼レンズ式の立体撮像装置を提供することにある。
【課題を解決するための手段】
【０００８】
上記目的を達成するため、本技術の一形態に係る立体撮像装置は、左右一対の撮像レンズを含む光学系と、前記光学系のフォーカス調整のための回動の操作が可能なフォーカスリングと、前記フォーカスリングに対して同軸的にかつ独立して回動自在に組み合わせて設けられ、前記光学系のコンバージェンス調整のための回動の操作が可能なコンバージェンスリングとを具備する。
【０００９】
本技術では、フォーカスリングとコンバージェンスリングが互いに同軸的にかつ独立して回動自在に組み合わせて設けられているので、ユーザは僅かに手を移動させるだけでフォーカス、コンバージェンス間で調整対象をスムースに変更することができる。また、フォーカスリングとコンバージェンスリングは同軸的に回動するので、同様な感覚での操作が可能である。したがって、調整対象を変更した直後から速やかに調整を開始することができる。
【００１０】
本技術は、前記フォーカスリング及び前記コンバージェンスリングに対して同軸的にかつ独立して回動自在に組み合わせて設けられ、前記光学系のズーム調整のための回動の操作が可能なズームリングをさらに具備するものであってもよい。これにより、ズーム調整を含めた調整作業の効率化を図れる。
【００１１】
前記フォーカスリング、前記コンバージェンスリング、及びズームリングの外径が異なり、それぞれのリングは互いに入れ子構造で組み合わされたものであってもよい。ユーザは操作しているリングの位置関係とともにリングの外径から調整対象を感覚的に知ることができ、このことによっても操作性の向上を期待することが可能である。
【００１２】
前記フォーカスリングと前記コンバージェンスリングが入れ子構造において互いに隣接するものであってもよい。これによりフォーカス、コンバージェンス間で調整対象をより一層スムースに変更することができる。
【００１３】
また、前記フォーカスリング、前記コンバージェンスリングおよび前記ズームリングが、互いに同軸的にかつ独立して回動自在に組み合わせられた３つのリングに対して前記光学系のフォーカス調整、コンバージェンス調整およびズーム調整の３つの調整項目を割り当てることによって設定され、前記３つのリングに対する前記３つの調整項目を選択的に割り当てるためのユーザからのリング設定情報の入力を受け付けるリング設定用入力部と、前記リング設定用入力部にて入力されたリング設定情報をもとに前記３つのリングに前記３つの調整項目を割り当てる制御部とをさらに具備するものであってよい。これにより３つのリングに対してズーム、フォーカス、コンバージェンスの３つの調整項目をフレキシブルに割り当てることができる。
【００１４】
さらに、前記リング設定情報は、前記リング毎に回動方向と調整値の増減との関係を割り当てるための情報を含み、前記制御部は、前記リング毎の回動方向と調整値の増減との関係を割り当てるようにしてもよい。これによりリング毎に回動方向と調整値の増減との関係を任意に設定することができ、様々なユーザにとって操作性の良い立体撮像装置を提供することができる。
【発明の効果】
【００１５】
本技術によれば、フォーカスとコンバージェンスとの相互の微調整を効率良く行うことが可能になる。
【図面の簡単な説明】
【００１６】
【図１】本技術の一実施形態に係る立体撮像装置の正面図である。
【図２】図１の立体撮像装置の背面図である。
【図３】図１の立体撮像装置の上面図である。
【図４】図１の立体撮像装置の底面図である。
【図５】図１の立体撮像装置の右側面図である。
【図６】図１の立体撮像装置の左側面図である。
【図７】図１の立体撮像装置に設けられた調整リングの斜視図である。
【図８】図１の立体撮像装置に設けられた調整リングの平面図である。
【図９】図１の立体撮像装置に設けられた調整リングの側面図である。
【図１０】図７の調整リングのズーム調整時の操作形態を示す図である。
【図１１】図７の調整リングのフォーカス調整時の操作形態を示す図である。
【図１２】図７の調整リングのコンバージェンス調整時の操作形態を示す図である。
【図１３】ズーム、フォーカス、及びコンバージェンスの調整回路の構成を示すブロック図である。
【図１４】第２の実施形態に係る立体撮像装置の右側面図である。
【図１５】第２の実施形態の立体撮像装置におけるズーム、フォーカス、及びコンバージェンスの調整回路の構成を示すブロック図である。
【図１６】第２の実施形態の立体撮像装置におけるリング設定用のＧＵＩとその表示遷移を示す図である。
【図１７】図１６と同様にリング設定用のＧＵＩとその表示遷移を示す図である。
【図１８】リング設定完了時のリング設定画面を示す図である。
【図１９】図１４の立体撮像装置において接眼ユニットをディスプレイ部から外した状態を示す側面図である。
【図２０】調整リングの変形例を示す側面図である。
【発明を実施するための形態】
【００１７】
以下、図面を参照しながら、本技術の実施形態を説明する。
＜第１の実施形態＞
本実施形態は、同一被写体を複数の視点から撮影して立体映像を撮像することが可能な二眼レンズ式の立体撮像装置である。この二眼レンズ式の立体撮像装置は、左右のレンズを通してそれぞれ取り込んだ被写体の左右の像を、撮像素子で電気的な信号に変換し、Ａ／Ｄ変換後、ＨＤＶ（High-Definition Video）方式などの所定の方式で圧縮符号化して、左右それぞれの半導体記録媒体に記録する。撮像素子には、例えば、ＣＣＤ（Charge Coupled Device）やＣＭＯＳ（Complementary Metal Oxide Semiconductor）等が用いられる。
【００１８】
この立体撮像装置は、ズーム、フォーカス、及びコンバージェンスの調整を、互いに同軸的に組み合わされ、かつ互いに独立して回動操作することの可能な３つのリングで構成される調整リングを備えるものである。ズーム、フォーカス、及びコンバージェンスの調整のうち、特にフォーカスとコンバージェンスの２つの調整は、一方を調整により動かせば他方の調整にも影響してしまうことから、交互に繰り返し行われることが多い。本実施形態の立体撮像装置では、調整リングに同軸的に回動操作可能なように設けられたフォーカス調整用のリングとコンバージェンス調整用のリングを操作して行えるので、調整の効率の向上を期待できる。
以下に、この立体撮像装置の実施形態を詳細に説明する。
【００１９】
［立体撮像装置の構成］
図１〜６は、本技術の一実施形態に係る立体撮像装置を示す６面図である。具体的には、図１は正面図、図２は背面図、図３は上面図、図４は底面図、図５は右側面図、図６は左側面図である。
立体撮像装置１００は、本体部１１０とレンズ部１２０とを有する。
【００２０】
本体部１１０には、外部機器との接続のための各種のインタフェース群、各種の操作ボタン群、ハンドル１１１、表示部１１３、バッテリアダプタ１１５、メモリカードスロット１１７等が設けられている。インタフェース群及びバッテリアダプタ１１５は本体部１１０の主に後方面に設けられている。インタフェースとしては、例えば、デジタル映像及びデジタル音声の入出力、アナログ映像及びアナログ音声の入出力、制御用の入力、モニター出力、ヘッドホン出力などがある。バッテリアダプタ１１５はバッテリ（図示せず）の着脱が可能とされている。
【００２１】
操作ボタン群の一部、表示部１１３、及びメモリカードスロット１１７は本体部１１０の主に側面に設けられている。操作ボタンとしては、例えば、電源ボタン、録画ボタン、再生ボタン、早送りボタン、戻りボタン、シャッタボタン、その他がある。表示部１１３は撮像中の映像や記録映像、さらには各種の機能選択や設定操作のためのユーザインタフェースなどの表示に用いられ、本体部１１０の側面において２軸回り方向に回動自在に設けられている。表示部１１３としては、例えば液晶ディスプレイや有機ＥＬディスプレイ等が採用される。メモリカードスロット１１７は、半導体記録媒体であるメモリカードの着脱が可能とされ、このメモリカードに対してデジタル映像データの記録及び読み出しを行うことが可能である。
【００２２】
操作ボタン群の他の一部、及びハンドル１１１は本体部１１０の主に上面に設けられている。ハンドル１１１はユーザが立体撮像装置１００を支え持つための部位である。ハンドル１１１の前部にはマイクロフォン１１９が取り付けられている。
【００２３】
さらに、本体部１１０の内部には、ＣＰＵ（Central Processing Unit）等の制御回路、左右の撮像素子、信号処理回路、エンコーダ回路などが収納されている。
【００２４】
一方、レンズ部１２０には、右レンズ光学系１２１Ｒと左レンズ光学系１２１Ｌが左右平行に設けられている。右レンズ光学系１２１Ｒ及び左レンズ光学系１２１Ｌはそれぞれ、ズーム、フォーカス、及びコンバージェンスの調整を同期して行うことが可能なように構成される。
【００２５】
また、レンズ部１２０の先端部には、右レンズ光学系１２１Ｒと左レンズ光学系１２１Ｌに入射する光の波長を制限するレンズフィルタ１２３、右レンズ光学系１２１Ｒと左レンズ光学系１２１Ｌの撮像レンズを様々な目的で保護するレンズフード１２５が設けられている。
【００２６】
レンズ部１２０の側面には、ユーザの手によって把持される部分としてのグリップ部１２７が設けられている。グリップ部１２７には広角／望遠スイッチ１２８が設けられている。さらに、レンズ部１２０の側面には、右レンズ光学系１２１Ｒ及び左レンズ光学系１２１Ｌに入る光の量を減少させるよう調整するための減光フィルタボタン１２９、露出を調整することで撮像する画像の明るさを調整するためのアイリスダイヤル１３０、及び調整リング２００等が設けられている。調整リング２００はズーム、フォーカス、及びコンバージェンスの調整を行うための操作部であり、後で詳細を説明する。
【００２７】
［調整リングの構成］
次に、調整リング２００の構成について説明する。
図７は調整リング２００の斜視図、図８は調整リング２００の平面図、図９は図８の側面図である。
【００２８】
調整リング２００は、ズーム調整のためのズームリング２１０、フォーカス調整のためのフォーカスリング２２０、及びコンバージェンス調整のためのコンバージェンスリング２３０で構成される。ズームリング２１０、フォーカスリング２２０、及びコンバージェンスリング２３０はそれぞれ入れ子構造で組み合わされて同軸的に回動自在とされ、かつ互いに独立して正・逆方向に回動自在なように組み合わされている。さらに詳細には、ズームリング２１０は、調整リング２００において最も外周側に位置する回動部であり、フォーカスリング２２０はズームリング２１０の内側で回動自在な部分であり、コンバージェンスリング２３０はさらにフォーカスリング２２０の内側で回動自在な部分である。したがって、ズームリング２１０、フォーカスリング２２０、コンバージェンスリング２３０の外径は、ズームリング２１０、フォーカスリング２２０、コンバージェンスリング２３０の順に小さくなる。したがって、ユーザは操作しているリングの位置関係とともにリングの外径から調整対象を感覚的に知ることができ、このことによっても操作性の向上を期待することが可能である。
【００２９】
ズームリング２１０の外周面には滑り止め用のスリット２１１が設けられている。また、フォーカスリング２２０はズームリング２１０より軸方向において突出した部分２２１（図９参照）を有しており、この突出した部分２２１の外周面に滑り止め用のスリット２２２が設けられている。一方、フォーカスリング２２０の内側に回動自在に配置されたコンバージェンスリング２３０の先端位置はフォーカスリング２２０の先端位置と一致あるいは略一致させてある。コンバージェンスリング２３０の先端部分はドーム状に凹ませてあり、この凹んだ部分の内周面に滑り止め用のスリット２３１（図７、図８参照）が設けられている。
【００３０】
図１０から図１２は上記のように構成された調整リング２００の操作形態を示す図である。図１０はズーム調整時の操作形態であり、このときユーザはズームリング２１０の外周面に指を当ててズームリング２１０を回動操作することによってズームの調整を行うことかできる。図１１はフォーカス調整時の操作形態であり、ユーザはフォーカスリング２２０の突出した部分２２１の外周面に指を当ててフォーカスリング２２０を回動操作することによってフォーカスの調整を行うことかできる。そして図１２はコンバージェンス調整時の操作形態であり、ユーザはコンバージェンスリング２３０の先端部分のドーム状に凹んだ部分の内周面に指を当ててコンバージェンスリング２３０を回動操作することによってコンバージェンス調整を行うことができる。
【００３１】
ここで、ズームリング２１０、フォーカスリング２２０、及びコンバージェンスリング２３０は全て同軸的に組み合わせて調整リング２００として一体化されているので、ユーザは僅かに手を移動させるだけでズーム、フォーカス、コンバージェンス間で調整対象をスムースに変更することができる。また、ズームリング２１０、フォーカスリング２２０、及びコンバージェンスリング２３０は全て同軸的に回動するので、全て同様な感覚での操作が可能である。したがって、調整対象を変更した直後から速やかに調整を開始することができる。特に、フォーカスとコンバージェンスの調整のように交互にかつ繰り返し行われることの多い調整作業において効率の向上を期待できる。
【００３２】
［ズーム、フォーカス、及びコンバージェンスの調整回路］
次に、ズーム、フォーカス、及びコンバージェンスの調整回路について説明する。
図１３は、ズーム、フォーカス、及びコンバージェンスの調整回路の構成を示す図である。同図に示すように、本実施形態の立体撮像装置１００は、調整リング２００のズームリング２１０、フォーカスリング２２０、及びコンバージェンスリング２３０にそれぞれ対応するロータリーエンコーダ３０１，３０２，３０３、制御回路３０４、ズーム駆動回路３０５、フォーカス駆動回路３０６、コンバージェンス駆動回路３０７、左光学系ズームアクチュエータ３０８Ｌ、左光学系フォーカスアクチュエータ３０９Ｌ、左光学系コンバージェンスアクチュエータ３１０Ｌ、右光学系ズームアクチュエータ３０８Ｒ、右光学系フォーカスアクチュエータ３０９Ｒ、右光学系コンバージェンスアクチュエータ３１０Ｒを有する。
【００３３】
調整リング２００においてそれぞれ独立して回動操作されるズームリング２１０、フォーカスリング２２０、及びコンバージェンスリング２３０それぞれの回動情報は、それぞれのリングに対応して設けられたロータリーエンコーダ３０１，３０２，３０３によって検出される。それぞれのロータリーエンコーダ３０１，３０２，３０３の検出情報はＣＰＵなどの制御回路３０４に伝送される。制御回路３０４はズーム調整に対応するロータリーエンコーダ３０１の検出情報をもとにズーム調整に関する所定の演算処理を実行して制御量を求め、制御量に応じた制御情報をズーム駆動回路３０５に供給する。
【００３４】
ズーム駆動回路３０５は制御情報をもとに左光学系及び右光学系のズームアクチュエータ３０８Ｌ，３０８Ｒを駆動する。これにより左光学系及び右光学系のズームの調整が行われる。また、制御回路３０４はフォーカス調整に対応するロータリーエンコーダ３０２の検出情報をもとにフォーカス調整に関する所定の演算処理を実行して制御量を求め、制御量に応じた制御情報をフォーカス駆動回路３０６に供給する。
【００３５】
フォーカス駆動回路３０６は制御情報をもとに左光学系及び右光学系のフォーカスアクチュエータ３０９Ｌ，３０９Ｒを駆動する。これにより左光学系及び右光学系のフォーカスの調整が行われる。さらに、制御回路３０４はコンバージェンス調整に対応するロータリーエンコーダ３０３の検出情報をもとにコンバージェンス調整に関する所定の演算処理を実行して制御量を求め、制御量に応じた制御情報をコンバージェンス駆動回路３０７に供給する。コンバージェンス駆動回路３０７は、制御情報をもとに左光学系及び右光学系のコンバージェンスアクチュエータ３１０Ｌ，３１０Ｒを駆動する。これにより左光学系及び右光学系のコンバージェンスの調整が行われる。
【００３６】
以上のように、本実施形態によれば、ズームリング２１０、フォーカスリング２２０、及びコンバージェンスリング２３０を全て同軸的に組み合わせて調整リング２００として一体化した。これにより、ユーザは僅かに手を移動させるだけでズーム、フォーカス、コンバージェンス間で調整対象をスムースに変更することができる。また、ズームリング２１０、フォーカスリング２２０、及びコンバージェンスリング２３０は全て同軸的に回動するので、同様な感覚での操作が可能である。したがって、調整対象を変更した直後から速やかに調整を開始することができる。特に、フォーカスとコンバージェンスの調整のように交互にかつ繰り返し行われることの多い調整作業において効率の向上を期待できる。また、場合によっては、ズーム調整によってフォーカス調整が必要になることもあるので、この場合には、ズーム調整を含めた調整作業の効率化を図れる。
【００３７】
なお、本技術の実施の形態は、上述した実施の形態に限定されるものではなく、本技術の要旨を逸脱しない範囲において種々の変更が可能である。
【００３８】
例えば、上記の実施形態では、調整リング２００の構成において、ズームリング２１０を調整リング２００において最も外周側に配置し、フォーカスリング２２０をズームリング２１０の内側に配置し、さらにコンバージェンスリング２３０をフォーカスリング２２０の内側に配置した。これに限らず、ズームリング２１０を調整リング２００において最も内周側に配置し、その外周に、フォーカスリング２２０、コンバージェンスリング２３０の順、あるいは、コンバージェンスリング２３０、フォーカスリング２２０の順で配置してもよい。
【００３９】
また、調整リング２００は撮影者が操作しやすい場所であれば、本体部１１０の側面以外の場所に設けてもよい。
【００４０】
さらに、上記の実施形態では、調整リング２００の構成において、ズームリング２１０からフォーカスリング２２０及びコンバージェンスリング２３０を突出させた構造としたが、フォーカスリング２２０からコンバージェンスリング２３０をさらに突出させ、コンバージェンスリング２３０の突出した部分の外周面に滑り止めのためのスリットを設けた構造にしてもよい。
【００４１】
＜第２の実施形態＞
次に、本技術に係る第２の実施形態を説明する。
図１４は、第２の実施形態に係る立体撮像装置の右側面図である。図１５は第２の実施形態に係る立体撮像装置のズーム、フォーカス、及びコンバージェンスの調整回路の構成を示す図である。
なお、同図に示される第２の実施形態の立体撮像装置１００Ａにおいて、第１の実施形態と同じ部分には、その第１の実施形態と同じ部分に付された符号の末尾に"Ａ"を付けた符号を付してある。
【００４２】
第１の実施形態の立体撮像装置１００における調整リング２００は、３つのリングが入れ子構造で組み合わされ、これら３つのリングには外周側のものから順に、ズームリング２１０、フォーカスリング２２０、及びコンバージェンスリング２３０としての機能が固定して割り当てられている。また、これらのズームリング２１０、フォーカスリング２２０、及びコンバージェンスリング２３０は、回動方向に対する正負の向きも固定されている。
【００４３】
しかしながら、このように各リングに対する機能および回動方向に対する正負の向きの割り当てが固定されていると、ユーザによっては現状の割り当てが自分の操作感と合わないという不都合が発生する可能性がある。また、リングの回動方向と調整値の増減との関係は、時計回り方向が"増"、反時計回り方向が"減"であることが日本国においては一般的と言えよう。しかしながら、ユーザによってはその逆が良いという場合もある。
【００４４】
そこで、第２の実施形態の立体撮像装置１００Ａは、調整リング２００Ａにおける３つのリング２１０Ａ、２２０Ａ、２３０Ａに対してズーム、フォーカス、コンバージェンスの３つの調整項目をフレキシブルに割り当てられるようにしたものである。さらに、本実施形態の立体撮像装置１００Ａは、リング２１０Ａ、２２０Ａ、２３０Ａ毎に、回動方向と調整値の増減との関係を任意に割り当てられるようにしたものである。以下、上記の調整リング２００Ａに対する割り当てを実現する機構を「リング設定機構」と呼ぶ。このリング設定機構の詳細を以下に説明する。
【００４５】
［リング設定機構］
第２の実施形態の立体撮像装置１００Ａにおいて、リング設定機構は、リング設定画面表示部３２１Ａ、リング設定用入力部１４２Ａ、および制御回路（制御部）３０４Ａなどで構成される。
【００４６】
リング設定画面表示部３２１Ａは、リング設定のための画面を表示する。本実施形態では、ビューファインダ１５０Ａ内の表示パネルがリング設定画面表示部３２１Ａとして用いられる。ビューファインダ１５０Ａは、液晶ディスプレイなどの表示パネルを内蔵するディスプレイ部１５１Ａと、表示パネルに表示された映像を拡大する接眼ユニット１５２Ａなどで構成される。また、図１９に示すように、接眼ユニット１５２Ａはディスプレイ部１５１Ａに対して着脱自在とされ、接眼ユニット１５２Ａをディスプレイ部１５１Ａから外すことによって表示パネルに表示された映像をユーザが直接見ることも可能である。なお、リング設定画面は、本体部１１０Ａに設けられた表示部１１３Ａに表示させるようにしてもよい。
【００４７】
リング設定用入力部１４２Ａは、３つのリング２１０Ａ、２２０Ａ、２３０Ａに対するフォーカス調整、コンバージェンス調整およびズーム調整の３つの調整項目を選択的に割り当てたり、リング毎の回動方向と調整値の増減との関係を割り当てたりするためのユーザからのリング設定情報の入力を受け付ける。本実施形態では、例えば、本体部１１０Ａに設けられたロータリースイッチなどがリング設定用入力部１４２Ａとして用いられる。リング設定用入力部１４２Ａであるロータリースイッチは回動操作とプッシュ操作が可能である。ロータリースイッチの回動操作によってリング設定画面における設定対象の項目がシフトされ、プッシュ操作によって設定対象である項目の値の切り替えが行われる。
【００４８】
制御回路３０４Ａは、リング設定情報が記憶されるリング設定情報記憶部３２４Ａを有する。制御回路３０４Ａは、リング設定情報記憶部３２４Ａに記憶されたリング設定情報に従って３つのリング２１０Ａ、２２０Ａ、２３０Ａに対してフォーカス調整、コンバージェンス調整およびズーム調整の調整項目を割り当てる。より具体的には、制御回路３０４Ａは、リング設定情報記憶部３２４Ａに記憶されたリング設定情報に従って、３つのリング２１０Ａ、２２０Ａ、２３０Ａそれぞれのロータリーエンコーダ３０１Ａ、３０２Ａ、３０３Ａの出力先を、ズーム駆動回路３０５Ａ、フォーカス駆動回路３０６Ａ、およびコンバージェンス駆動回路３０７Ａ間で切り替える。
【００４９】
［リング設定の動作］
次に、リング設定の動作を説明する。
図１６および図１７はリング設定のためのＧＵＩとその表示遷移を示す図である。
まず、本体部１１０に設けられた操作ボタンの操作によってリング設定画面の初期画面４０１をリング設定画面表示部３２１Ａに表示させる。
【００５０】
リング設定画面において調整リング２００Ａの３つのリング２１０Ａ、２２０Ａ、２３０Ａはそれぞれ"外"、"中"、"内"で表されている。また、このリング設定画面には、３つのリング２１０Ａ（外）、２２０Ａ（中）、２３０Ａ（内）それぞれについて、調整項目の値（ズーム、フォーカス、コンバージェンス）が表示される調整項目領域と、調整値を増加させる正の操作方向の値（時計回り、反時計回り）が表示される正の操作方向項目領域が設けられている。
【００５１】
現在３つのリング２１０Ａ（外）、２２０Ａ（中）、２３０Ａ（内）に対して割り当てられている調整項目および正の操作方向項目は、例えば以下の通りと仮定する（図１６、４０１）。
・リング２１０Ａ（外）：調整項目＝ズーム、正の操作方向項目＝時計回り、
・リング２２０Ａ（中）：調整項目＝フォーカス、正の操作方向項目＝時計回り、
・リング２３０Ａ（内）：調整項目＝コンバージェンス、正の操作方向項目＝時計回り。
【００５２】
上の既存のリンク設定を次の内容に変更したい場合を想定する（図１７）。
・リング２１０Ａ（外）：調整項目＝ズーム、正の操作方向項目＝時計回り、
・リング２２０Ａ（中）：調整項目＝コンバージェンス（変更）、正の操作方向項目＝反時計回り（変更）、
・リング２３０Ａ（内）：調整項目＝フォーカス（変更）、正の操作方向項目＝反時計回り（変更）。
【００５３】
リング設定画面の初期画面４０１において、リング２１０Ａ（外）の調整項目が現在の対象項目として視覚的に分かるように、そのリング２１０Ａ（外）の調整項目表示領域が例えば反転表示などによって判別可能な状態にある。
【００５４】
リング２１０Ａ（外）の調整項目および正の操作方向項目については変更しないため、ユーザはリング設定画面の初期画面４０１において、リング設定用入力部１４２Ａを回動する操作を行う。リング設定用入力部１４２Ａが所定量以上回動されたことが制御回路３０４Ａで判定されると、制御回路３０４Ａは対象項目を次の項目へシフトさせる。ここで、対象項目のシフトは、リング設定用入力部１４２Ａが第１の方向に回動される場合には、リング２１０Ａ（外）の調整項目→リング２１０Ａ（外）の正の操作方向項目→リング２２０Ａ（中）の調整項目→リング２２０Ａ（中）の正の操作方向項目→リング２３０Ａ（内）の調整項目→リング２２０Ａ（中）の正の操作方向項目→最初に戻る、の順で行われ、リング設定用入力部１４２Ａが第１の方向とは逆の第２の方向に回動される場合には対象項目のシフト方向も逆となる。
【００５５】
ここではリング設定用入力部１４２Ａが第１の方向に回動された場合を想定する。したがって、制御回路３０４Ａは対象項目をリング２１０Ａ（外）の正の操作方向項目にシフトする（図１６、リング設定画面４０２）。
【００５６】
続けて、リング設定用入力部１４２Ａがユーザによって第１の方向に回動されることによって、制御回路３０４Ａは、対象項目をリング２２０Ａ（中）の調整項目領域にシフトさせる（図１６、リング設定画面４０３）。続いてユーザはリング設定用入力部１４２Ａを一度プッシュする。今回のリンク設定例では、リング２２０Ａ（中）の調整項目を"コンバージェンス"に割り当てることを目的の一部としている。また、リング設定用入力部１４２Ａが一度プッシュされる都度、調整項目は"フォーカス"→"コンバージェンス" →"ズーム" →"フォーカス"の順で変更されるものとする。これによりリング設定用入力部１４２Ａが一度プッシュされることで、リング２２０Ａ（中）の調整項目は"フォーカス"から"コンバージェンス"に変更される（図１７、リング設定画面４０４）。
【００５７】
また、今回のリンク設定例では、リング２２０Ａ（中）の調整項目の正の操作方向を"反時計回り"の方向に切り替えることも目的としている。そこで、ユーザはリング設定用入力部１４２Ａを第１の方向に回動することによって対象項目を次のリング２２０Ａ（中）の正の操作方向項目に移動させる（図１７、リング設定画面４０５）。この後、リング設定用入力部１４２Ａを一度プッシュする。この結果、リング２２０Ａ（中）の調整項目の正の操作方向が"時計回り"から"反時計回り"の方向に変更される（図１７、リング設定画面４０６）。
【００５８】
同様にユーザは、リング設定用入力部１４２Ａの回動操作とプッシュ操作を行うことで、リング設定画面を図１８の状態に変更する。この後、本体部１１０に設けられた操作ボタンの操作によってリング設定画面を閉じる、あるいは他の画面に変更することなどによって、制御回路３０４Ａは、リング設定の情報をリング設定情報記憶部３２４Ａに上書きする。以上で、リング設定（変更）が完了となる。以後は、変更されたリング設定が、３つのリング２１０Ａ、２２０Ａ、２３０Ａの操作に反映される。
【００５９】
以上のように本実施形態によれば、調整リング２００Ａにおける３つのリング２１０Ａ、２２０Ａ、２３０Ａに対してズーム、フォーカス、コンバージェンスの３つの調整項目をフレキシブルに割り当てることができる。また、本実施形態によれば、リング２１０Ａ、２２０Ａ、２３０Ａ毎に、回動方向と調整値の増減との関係を任意に設定することができる。この結果、様々なユーザにとって操作性の良い調整リング２００Ａを提供することができる。
【００６０】
［レンズ調整モードについて］
立体撮像装置においては、撮影時に左右のレンズ（右レンズ光学系１２１Ｒ及び左レンズ光学系１２１Ｌ）それぞれの左右の位置ならびに上下の位置が正しく合っていなければ３Ｄ映像を良好に撮影できない。しかし、左右のレンズは衝撃などが加えられたときなどに位置が動く可能性がある。そこで立体撮像装置には、左右のレンズの位置を個別に調整することのできる機構が設けられている。このレンズ調整は、例えば、本体部１１０Ａに設けられたスイッチを操作してレンズ調整モードに入れ、ビューファインダ１５０Ａの表示パネルに表示されるレンズ調整用画面を見ながら、調整リング２００Ａの各リングを操作することなどによって行われる。なお、レンズ調整モードに入ると、調整リング２００Ａの各リング２１０Ａ、２２０Ａ、２３０Ａにレンズの移動方向（左右上下）が自動的に割り当てられ、その情報もレンズ調整画面に表示される。
【００６１】
しかしながら、レンズ調整モードに入れるためのスイッチが本体部１１０Ａに設けられていると、ユーザがスイッチを誤って押してレンズ調整モードに入れてしまうおそれがある。ユーザが撮影中に知らずにレンズ調整モードに入れてしまうと、フォーカス調整やズーム調整などのための調整リング２００Ａの操作によって余計なレンズ調整を行ってしまうことになり、レンズ位置を逆にくるわしてしまいかねない。
【００６２】
そこで、本実施形態の立体撮像装置１００Ａでは、図１４において、レンズ調整ボタン１４０Ａと、このレンズ調整ボタン１４１Ａから片手の指で届く範囲に設けられたシフトボタン１４１Ａとを同時にプッシュした場合にレンズ調整モードに入るようにした。但し、レンズ調整ボタン１４０Ａとシフトボタン１４１Ａは１つの指で同時にプッシュすることはできない程度に互いに離間した位置関係にあることも重要である。
【００６３】
このようにレンズ調整ボタン１４０Ａとシフトボタン１４１Ａとの同時押しによりレンズ調整モードに入るようにしたが、その他の２つのボタンの組み合わせを採用してもよい。これにより、ユーザがスイッチを誤って押してレンズ調整モードに入れてしまうことを防止できる。
【００６４】
［変形例］
上記の各実施形態において、調整リング２００（２００Ａ）における最内周のリング２３０（２３０Ａ）はドーム状に凹んだ部分としたが、図２０に示すように、最内周のリング２３０Ｂを逆に膨出させてもよい。
【符号の説明】
【００６５】
１００…立体撮像装置
１１０…本体部
１２０…レンズ部
１２１Ｒ…右レンズ光学系
１２１Ｌ…左レンズ光学系
２００…調整リング
２１０…ズームリング
２２０…フォーカスリング
２３０…コンバージェンスリング
【図１】
2012080515.tif 000003
【図２】
2012080515.tif 000004
【図３】
2012080515.tif 000005
【図４】
2012080515.tif 000006
【図５】
2012080515.tif 000007
【図６】
2012080515.tif 000008
【図７】
2012080515.tif 000009
【図８】
2012080515.tif 000010
【図９】
2012080515.tif 000011
【図１０】
2012080515.tif 000012
【図１１】
2012080515.tif 000013
【図１２】
2012080515.tif 000014
【図１３】
2012080515.tif 000015
【図１４】
2012080515.tif 000016
【図１５】
2012080515.tif 000017
【図１６】
2012080515.tif 000018
【図１７】
2012080515.tif 000019
【図１８】
2012080515.tif 000020
【図１９】
2012080515.tif 000021
【図２０】
2012080515.tif 000022